【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
電気化学電池システムであって、
反応性表面を含む電気化学電池のアレイであって、該表面は、１つ以上の活性領域と、該１つ以上の活性領域と接触している１つ以上の活性の低い領域とを有する、電気化学電池のアレイと、
１つ以上の輸送バリア領域と１つ以上の開放領域とを有する輸送層を含むカバーと
を備え、
該輸送バリア領域は、該活性領域に近接し、該開放領域は、該活性の低い領域に近接する、電気化学電池システム。
【請求項２】
前記輸送バリア領域は、前記活性領域と実質的に整列される、請求項１に記載の電気化学電池システム。
【請求項３】
前記開放領域は、前記活性の低い領域と実質的に整列される、請求項１または２のいずれかに記載の電気化学電池システム。
【請求項４】
前記電気化学電池は、燃料電池を含む、請求項１〜３のいずれかに記載の電気化学電池システム。
【請求項５】
前記１つ以上の活性の低い領域は、隣接する活性領域を分離する、請求項１〜４のいずれかに記載の電気化学電池システム。
【請求項６】
前記１つ以上の活性領域は、１つ以上の触媒を含む、請求項１〜５のいずれかに記載の電気化学電池システム。
【請求項７】
前記１つ以上の輸送バリア領域の少なくとも一部分は、電気的伝導性、熱的伝導性、またはそれらの組み合わせであり、該輸送バリア領域の該伝導性の部分は、前記反応性表面の少なくとも一部分から電気的に絶縁される、請求項１〜６のいずれかに記載の電気化学電池システム。
【請求項８】
前記１つ以上の輸送バリア領域は、反応体に対して実質的に不浸透性である、請求項１〜７のいずれかに記載の電気化学電池システム。
【請求項９】
前記カバーと前記電気化学電池のアレイとの間に配置される多孔質層をさらに含む、請求項１〜８のいずれかに記載の電気化学電池システム。
【請求項１０】
前記多孔質層は、前記アレイの前記反応性表面上に配置される、請求項９に記載の電気化学電池システム。
【請求項１１】
前記多孔質層は、１つ以上の不連続点を含む、請求項９または１０のいずれかに記載の電気化学電池システム。
【請求項１２】
前記多孔質層は、前記カバー、またはこれらが共に、取り外し可能である、請求項９〜１１のいずれかに記載の電気化学電池システム。
【請求項１３】
前記電気化学電池のアレイは、可撓性である、請求項１〜１２のいずれかに記載の電気化学電池システム。
【請求項１４】
電気化学電池アレイカバーであって、
１つ以上の輸送バリア領域と、１つ以上の開放領域とを含む輸送層を備え、
該輸送バリア領域は、電気化学アレイの１つ以上の電気化学電池の１つ以上の活性領域の上に重なる、電気化学電池アレイカバー。
【請求項１５】
電気化学電池アレイを動作する方法であって、
電気化学電池アレイの活性領域をカバー中の開放領域を介して反応体の流体と接触させることと、
生成物の流体が局所的環境から除去されることをカバーの使用を通じて抑制することと
を包含し、
該電気化学電池は、反応性表面を含み、該表面は、１つ以上の活性領域と、該１つ以上の活性領域の間にはさまれた１つ以上の活性の低い領域とを有し、
該カバーは、流体が通過し得る開放領域と、流体に対して実質的に不浸透性である輸送バリア領域とを含み、
該カバーの該輸送バリア領域は、該アレイの該活性領域に近接し、
該カバーの該開放領域は、該アレイの該活性の低い領域に近接し、
該電気化学電池アレイの該カバーおよび該反応性表面は、該アレイの該活性領域に近接する局所的環境を規定する、
方法。
【請求項１６】
前記活性領域は、触媒とイオン交換膜とを含み、前記方法は、前記生成物流体によって該イオン交換膜を水和させることをさらに包含する、請求項１５に記載の方法。
【請求項１７】
反応体流体を前記活性領域と接触させる速度を変えることと、生成物流体の除去を抑制することを変えることとをさらに包含する、請求項１５または１６のいずれかに記載の方法。
【請求項１８】
前記速度を変えることは、前記カバーの前記開放領域の寸法を変更することを包含する、請求項１７に記載の方法。
【請求項１９】
前記速度を変えることは、多孔質層を通って前記流体を方向付けることを包含する、請求項１７または１８のいずれかに記載の方法。
【請求項２０】
前記多孔質層は、適応可能材料を含む、請求項１９に記載の方法。
【手続補正２】
【補正対象書類名】明細書
【補正対象項目名】０００７
【補正方法】変更
【補正の内容】
【０００７】
実施形態はまた、電気化学電池アレイを動作する方法に関し、方法は、電気化学電池アレイの活性領域を、カバー中の開放領域を介して反応体流体と接触させることと、生成物流体が局所的環境から除去されることをカバーの使用を通じて抑制することとを含む。
例えば、本発明は以下の項目を提供する。
（項目１）
電気化学電池システムであって、
反応性表面を含む電気化学電池のアレイであって、該表面は、１つ以上の活性領域と、該１つ以上の活性領域と接触している１つ以上の活性の低い領域とを有する、電気化学電池のアレイと、
１つ以上の輸送バリア領域と１つ以上の開放領域とを有する輸送層を含むカバーと
を備え、
該輸送バリア領域は、該活性領域に近接し、該開放領域は、該活性の低い領域に近接する、電気化学電池システム。
（項目２）
上記輸送バリア領域は、上記活性領域と実質的に整列される、項目１に記載の電気化学電池システム。
（項目３）
上記開放領域は、上記活性の低い領域と実質的に整列される、項目１に記載の電気化学電池システム。
（項目４）
上記電気化学電池は、燃料電池を含む、項目１に記載の電気化学電池システム。
（項目５）
上記１つ以上の活性の低い領域は、隣接する活性領域を分離する、項目１に記載の電気化学電池システム。
（項目６）
上記電気化学電池は、ガルバーニ電池、電解槽、電解浴、またはそれらの組み合わせを含む、項目１に記載の電気化学電池システム。
（項目７）
燃料電池は、陽子交換膜燃料電池、直接メタノール燃料電池、アルカリ燃料電池、燐酸燃料電池、溶融炭酸塩燃料電池、固体酸化物燃料電池、またはそれらの組み合わせを含む、項目４に記載の電気化学電池システム。
（項目８）
上記電気化学電池は、金属空気電池を含む、項目１に記載の電気化学電池システム。
（項目９）
上記１つ以上の活性領域は、１つ以上の触媒を含む、項目１に記載の電気化学電池システム。
（項目１０）
上記カバーは、取り外し可能である、項目１に記載の電気化学電池システム。
（項目１１）
上記カバーは、可搬型デバイス用の筐体に一体化される、項目１に記載の電気化学電池システム。
（項目１２）
上記１つ以上の輸送バリア領域は、水に対して実質的に不浸透性である、項目１に記載の電気化学電池システム。
（項目１３）
上記１つ以上の輸送バリア領域は、空気に対して実質的に不浸透性である、項目１に記載の電気化学電池システム。
（項目１４）
上記１つ以上の輸送バリア領域の少なくとも一部分は、電気的伝導性、熱的伝導性、またはそれらの組み合わせである、項目１に記載の電気化学電池システム。
（項目１５）
上記輸送バリア領域の上記伝導性の部分は、上記反応性表面の少なくとも一部分から電気的に絶縁される、項目１４に記載の電気化学電池システム。
（項目１６）
上記１つ以上の輸送バリア領域は、電気的絶縁、熱的絶縁、またはそれらの組み合わせである、項目１に記載の電気化学電池システム。
（項目１７）
多孔質層をさらに含む、項目１に記載の電気化学電池システム。
（項目１８）
上記多孔質層は、上記カバーと、上記電気化学電池のアレイとの間に配置される、項目１７に記載の電気化学電池システム。
（項目１９）
上記多孔質層は、上記アレイの上記反応性表面上に配置される、項目１７に記載の電気化学電池システム。
（項目２０）
電気化学電池アレイカバーであって、
１つ以上の輸送バリア領域と、１つ以上の開放領域とを含む輸送層を備え、
該輸送バリア領域は、電気化学アレイの１つ以上の電気化学電池の１つ以上の活性領域の上に重なる、電気化学電池アレイカバー。
（項目２１）
上記カバーは、取り外し可能である、項目２０に記載の電気化学電池アレイカバー。
（項目２２）
上記１つ以上の開放領域の寸法を変えるように構成されたパネルをさらに含む、項目２０に記載の電気化学電池アレイカバー。
（項目２３）
上記１つ以上の輸送バリア領域は、電気的伝導性、熱的伝導性、またはそれらの組み合わせである、項目２０に記載の電気化学電池アレイカバー。
（項目２４）
上記開放領域は、スロット、孔、ホール、多孔質材料、またはそれらの組み合わせを含む、項目２０に記載の電気化学電池アレイカバー。
（項目２５）
多孔質層をさらに含む、項目２０に記載の電気化学電池アレイカバー。
（項目２６）
上記多孔質層は、適応可能材料を含む、項目２５に記載の電気化学電池アレイカバー。
（項目２７）
上記多孔質層は、熱応答性ポリマーを含む、項目２５に記載の電気化学電池アレイカバー。
（項目２８）
上記熱応答性ポリマーは、複数の細孔を含む、項目２７に記載の電気化学電池アレイカバー。
（項目２９）
上記細孔は、より高い温度において低減される、項目２８に記載の電気化学電池アレイカバー。
（項目３０）
電気化学電池アレイを動作する方法であって、
電気化学電池アレイの活性領域をカバー中の開放領域を介して反応体の流体と接触させることと、
生成物の流体が局所的環境から除去されることをカバーの使用を通じて抑制することと
を包含し、
該電気化学電池は、反応性表面を含み、該表面は、１つ以上の活性領域と、該１つ以上の活性領域の間にはさまれた１つ以上の活性の低い領域とを有し、
該カバーは、流体が通過し得る開放領域と、流体に対して実質的に不浸透性である輸送バリア領域とを含み、
該カバーの該輸送バリア領域は、該アレイの該活性領域に近接し、
該カバーの該開放領域は、該アレイの該活性の低い領域に近接し、
該電気化学電池アレイの該カバーおよび該反応性表面は、該アレイの該活性領域に近接する局所的環境を規定する、
方法。
（項目３１）
上記活性領域は、触媒とイオン交換膜とを含み、上記方法は、上記生成物流体によって該イオン交換膜を水和させることをさらに包含する、項目３０に記載の方法。
（項目３２）
反応体流体を上記活性領域と接触させる速度を変えることと、生成物流体の除去を抑制することを変えることとをさらに包含する、項目３０に記載の方法。
（項目３３）
上記速度を変えることは、上記カバーの上記開放領域の寸法を変更することを包含する、項目３２に記載の方法。
（項目３４）
上記速度を変えることは、多孔質層を通って上記流体を方向付けることを包含する、項目３２に記載の方法。
（項目３５）
上記多孔質層は、適応可能材料を含む、項目３４に記載の方法。